(57)【要約】本発明は、左チャンネルと右チャンネルと少なくとも１つの他のオーディオチャンネルとを持つマルチチャンネルオーディオ信号（ＸＬ、ＸＲ、ＸＬＳ、及びＸＣ）から、ステレオシステム用の左側の修正されたオーディオ信号及び右側の修正されたオーディオ信号を発生させる方法に関する。本発明によれば、最も高いエネルギーのチャンネルの信号は、第１の並列分岐（２）における変換関数を持つフィルタ（１）と、第２の並列分岐（５）における残響関数を持つ第２のフィルタ（６）とにおいて修正され、その結果、修正された信号は加算ユニット（８）において共に結合される。
2004520785.tif 000002
【特許請求の範囲】
【請求項１】
左チャンネルと右チャンネルと少なくとも１つの他のオーディオチャンネルとを持つマルチチャンネルオーディオ信号からステレオシステム用の左側の修正されるオーディオ信号と右側の修正されるオーディオ信号とを発生させる方法において、最も高いエネルギーのチャンネルの信号は、第１の並列分岐の変換関数を持つフィルタで修正され、第２の並列分岐の残響関数を持つ第２のフィルタで修正されて、その結果、前記修正された信号は、加算ユニットにおいて共に結合されることを特徴とする方法。
【請求項２】
請求項１に記載の方法において、前記最も高いエネルギーのチャンネルの信号は、変換関数を用いて修正する前に、第２の加算ユニットにおいて他のマルチチャンネルオーディオ信号と共に結合されることを特徴とする方法。
【請求項３】
請求項１に記載の方法において、前記最も高いエネルギーのチャンネルの信号は、残響関数を用いて修正する前に、前記第３の加算ユニットにおいて他のマルチチャンネルオーディオ信号と共に結合されることを特徴とする方法。
【請求項４】
請求項１又は２に記載の方法において、前記変換関数は、前記最も高いエネルギーのチャンネルに対する頭部伝達関数であることを特徴とする方法。
【請求項５】
請求項１又は３に記載の方法において、前記残響関数は、前記最も高いエネルギーのチャンネルの残響関数であることを特徴とする方法。
【請求項６】
請求項１、３又は５に記載の方法において、前記第２の並列分岐は、前記残響に遅延を供給する遅延素子を有することを特徴とする方法。
【請求項７】
請求項１乃至６の何れか一項に記載の方法において、前記低いエネルギーの信号は、前記第２の加算ユニットより前に、粗い変換関数により修正されることを特徴とする方法。
【請求項８】
請求項６に記載の方法において、前記粗い変換関数は、個々の前記チャンネルの前記頭部伝達関数であることを特徴とする方法。
【発明の詳細な説明】
【０００１】
【発明の属する技術分野】
本発明は、左チャンネルと右チャンネルと少なくとも１つの他のオーディオチャンネルとを持つマルチチャンネルから、ステレオシステム用の右側の修正されたオーディオ信号と左側の修正されたオーディオ信号とを発生させる方法に関する。
【０００２】
【従来の技術】
米国特許第ＵＳ５，６３８，４５１号公報は、オーディオ信号を送信及び記憶する方法を開示している。マルチチャンネルシステムとステレオ技術との互換性を達成するために、マルチチャンネルオーディオ信号を符号化するマルチチャンネルソースコーダーが設けられている。マルチチャンネルオーディオシステムの追加のオーディオチャンネルからの信号は、ステレオシステムを介して再生するための２つの修正されたステレオ信号が作成されるように、マルチチャンネルオーディオシステムの左右の基本信号に加えられる。
【０００３】
【発明が解決しようとする課題】
本発明は、ステレオシステムにおいてマルチチャンネルオーディオ信号を再生する簡単な方法を提供することを目的とする。特に、ヘッドホンを介してマルチチャンネルオーディオサウンドを再生するための簡単な方法及び簡単な回路が示される。
【０００４】
本目的は、請求項１の特徴付けされる特性を用いて達成される。
【０００５】
【課題を解決するための手段】
本発明によれば、最も高いエネルギーのチャンネルの信号は、第１の並列分岐の変換関数を持つフィルタで修正され、第２の並列分岐の残響関数を持つ第２のフィルタで修正され、その結果、これら修正された信号は、加算ユニットにおいて共に結合される。これら２つのフィルタは共に、左耳に対する中心スピーカの変換関数に正確に真似た長いフィルタと同じである。それは、サウンドの発生が考慮される最も高いエネルギーの信号のみである。フィルタは、１つのチャンネルにのみ必要とされる。
【０００６】
簡単なやり方において、最も高いエネルギーのチャンネルの信号は、変換関数を用いて修正する前に、第２の加算ユニットにおいて他のマルチチャンネルオーディオ信号と共に結合される。低いエネルギーの信号は、高いエネルギーの信号により消されるので、前者は同じフィルタを通ってもよい。
【０００７】
有利なことに、最も高いエネルギーのチャンネルの信号は、残響関数による修正より前に、第３の加算ユニットにおける他のマルチチャンネルオーディオ信号と共に結合される。この最も高いエネルギーのチャンネル用のフィルタは、消去効果による低いエネルギーの信号用、残響関数用に再び使用されてもよい。
【０００８】
有利なことに、変換関数は、最も高いエネルギーのチャンネル用の頭部伝達関数（ＨＲＴＦ： Ｈｅａｄ−ｒｅｌａｔｅｄ ｔｒａｎｓｆｅｒ ｆｕｎｃｔｉｏｎ）である。人間に関係する伝達関数（Ｐｅｒｓｏｎ−ｒｅｌａｔｅｄ ｔｒａｎｓｆｅｒ ｆｕｎｃｔｉｏｎ）は、前記変換関数と結合されてもよい。
【０００９】
簡単なやり方において、残響関数は、最も高いエネルギーのチャンネルの残響関数である。フィルタはこのようにして節約される。
【００１０】
簡単なやり方において、第２の並列分岐は、残響に遅延を供給する遅延素子を有する。
【００１１】
有利なことに、低いエネルギーの信号は、第２の加算ユニットより前に、粗い変換関数により修正される。
【００１２】
有利なことに、この粗い伝達関数は、個々のチャンネルの頭部伝達関数である。関連する個々の変換関数の発生は、僅かな計算又はコンピュータ作業で実現される。
【００１３】
本発明は、数個のチャンネルしか使用されない、言い換えると、各サウンドが仮想スピーカを介して再生される場合、サウンドの再生の正確性に課される要件は非常に厳しくすべきであるという仮定に基づいている。５チャンネルのＤＶＤ信号は、５チャンネルのスピーカーセット又は１組のヘッドホンを介して５つの仮想スピーカを用いて再生される。ＤＶＤは、Ｄｉｇｉｔａｌ Ｖｅｒｓａｔｉｌｅ Ｄｉｓｃの省略形である。５チャンネルのＤＶＤ装置が使用される場合、含まれる音源に対する信号の発生の品質に課される要件は、（わずか）２つの耳を介して聞くために僅かしか感知できない。５つの仮想スピーカがヘッドホンを介してシミュレートされるとき、簡単な概算は、ヘッドホンを介する仮想ステレオと同じ処理時間の５×１／２倍必要である。オーディオ装置が５チャンネルモードにセットされるときだけ、計算容量が完全にロードされる。上記容量の有用性、すなわち高出力の処理器を使用する及び組み込むことは、上記オーディオ装置が単にヘッドホンを介する仮想ステレオ再生に主に使用される場合、かなり高価であり、あまり有用ではない。
【００１４】
ヘッドホンを介する仮想スピーカを幾つか発生させるのに使用されるこれらフィルタの簡素化を介して計算容量を節約する。５つの仮想スピーカがＤＶＤ装置においてシミュレートされる。良好な品質のフィルタは、仮想ステレオがヘッドホンを介して発生するとき、利用される。５つの仮想ＤＶＤスピーカ用の結果としての計算容量は、仮想ステレオヘッドホンシステムの計算容量に相当し、これは、両方の場合において同程度の計算容量が利用されることを意味している。
【００１５】
ヘッドホンを介する仮想スピーカを発生するのに用いられるフィルタは、重要度が減った様々なセグメントに細分される。サウンドを再生するためのセグメントの分割は、発生すべき仮想スピーカの数に依存して行われる。これは、ほぼ一定の感知可能な品質と協力して一定の計算容量となる。フィルタの粗い構成は、計算容量の節約となる。
【００１６】
本発明の実施例は、図面を参照し、より分かりやすくするために以下に詳細に説明される。
【００１７】
【発明の実施の形態】
図１は、並列分岐２における短いフィルタ１を示し、このフィルタは、人間４の左耳３に中心チャンネルの信号Ｘｃに対する頭部伝達関数を含んでいる。第２の並列分岐５において、残響を発生可能な長いフィルタ６が配されている。遅延素子７も並列分岐５に含まれ、残響がＨＲＴＦよりも後に到達する。以後は加算ユニットと示される加算器８は、フィルタ１及び６から来る信号を加え、この加えられた信号を一組のヘッドホン１０の左スピーカ９に供給する。これら２つのフィルタ１及び６、遅延素子７及び加算ユニット８は、左耳３用の中心スピーカの変換関数を正確にシミュレートする長いフィルタ１１と同じである。右耳１２に対するサウンドの発生は、アナログ方式で得られてもよい。
【００１８】
図２は、同じフィルタ１１を持つ５つのチャンネルでのＤＶＤサウンドの発生を示す。フィルタ１１は、代わりに適当なソフトウェアを具備する処理器に置き換えられてもよい。信号ＸＬ、ＸＲ、ＸＬＳ及びＸＲＳは、個々のフィルタ２１、２２、２３及び２４を介して加算ユニット２５に加えられる。フィルタリングされた信号ＸＬ、ＸＲ、ＸＬＳ及びＸＲＳとフィルタリングされていない信号ＸＣとが加算ユニット２５において加えられ、フィルタ１へ供給される。左、右、左サラウンド及び右サラウンドのサウンドチャンネル用のフィルタ２１から２４は、低い技術的費用で実現され、非常に簡単な構成である。これらフィルタ２１から２４は、中心チャンネルに対し高い技術的費用で実現されるフィルタ１と直列に接続され、この後者のフィルタは、高い品質を提供する。仮想的な左、右、左サラウンド及び右サラウンドスピーカは、このように、複雑さを大幅に増大させることなく加えられている。全ての仮想スピーカは、他の加算器２６に加えられ、中心チャンネルの残響フィルタ６を共有する。これは、残響が如何なる方向の信号もほとんど含まないため、感知できる品質を損なうことはなく、中心チャンネルは通常、非常に大きなエネルギーを含むために、他のチャンネルを消してしまう。フィルタ２１から２４は、主にサウンド強度又はスペクトル変化に関する遅延及び修正を含み、本来のＨＲＴＦと大まかに似ている。中心チャンネルが他のチャンネルを消してしまうので、大体の類似で十分である。この環境における中心チャンネルの発生は正確であり、全体的な複雑さは、図１の１つのチャンネルを実現する複雑さと似ていることに注意すべきである。この方法は、デジタル信号で有利に実施されてもよい。使用される全ての器具、特にフィルタ及び加算ユニットは、デジタル構造であり、これにより簡単な手法でデジタル信号を処理してもよい。
【００１９】
簡単な手段は、どの瞬間でも最も高いエネルギーのチャンネルを決めることを可能にさせ、対応するＨＲＴＦは、このチャンネルに依存して選択される。この実施は、個々のチャンネルのエネルギーレベルに依存して動的に修正される。このようにして、最も高いエネルギーのチャンネルは、どの瞬間でも最も高い品質で再生される。
【００２０】
この回路は、ポータブルのＤＶＤ再生装置に含まれているが、代わりにヘッドホン出力及びマルチチャンネルオーディオシステムを持つ他の全てのオーディオ装置に含まれてもよい。
【図面の簡単な説明】
【図１】高いエネルギーのチャンネルからのオーディオ信号を用いて左耳にサウンドを発生させる回路。
【図２】幾つかのマルチチャンネルオーディオ信号を用いて左耳にサウンドを発生させる回路。
【国際公開パンフレット】
2004520785.tif 000003
2004520785.tif 000004
2004520785.tif 000005
2004520785.tif 000006
2004520785.tif 000007
2004520785.tif 000008
2004520785.tif 000009
2004520785.tif 000010
2004520785.tif 000011
2004520785.tif 000012
【国際公開パンフレット（コレクトバージョン）】
2004520785.tif 000013
【国際調査報告】
2004520785.tif 000014
2004520785.tif 000015